【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
前壁部、後壁部、第１側壁部、第２側壁部により凹形状に形成された基本ベースと、前記基本ベースの前記前壁部側で前記第１側壁部から中央部にかけて配置され、前記基本ベースと一体的に成形された電源端子部と、前記電源端子部の電源端子側壁部と前記前壁部と前記第２側壁部との間に位置する兼用スペースと、前記基本ベースに装着される中ベースとを備え、前記基本ベースの前記前壁部の内面に第１係合体が設けられ、前記兼用スペースに位置する前記基本ベースの前記第２側壁部の内面に第２係合体が設けられ、前記電源端子部の前記電源端子側壁部に第３係合体が設けられ、前記中ベースに前記電源端子部を押える電源端子押え部が設けられたことを特徴とする電子式電力量計。
【請求項２】
前記兼用スペースに設定／記憶スイッチ、数字送りスイッチ、ＤＭ復帰スイッチ、イヤホンジャック、モジュラージャック、時限パルス端子、サービスパルス端子、通信端子を有する通信・パルス端子部が配置され、前記通信・パルス端子部の前面部に前記第１係合体と係合する第４係合体が設けられ、前記通信・パルス端子部の第１側面部に前記第２係合体の下方側にスライド移動されて係合される第５係合体が設けられ、前記通信・パルス端子部の第２側面部に前記第３係合体の下方側にスライド移動されて係合される第６係合体が設けられたことを特徴とする請求項１に記載の電子式電力量計。
【請求項３】
前記第１係合体は凹状で前記第４係合体は突状であり、前記第２係合体と前記第５係合体および前記第３係合体と前記第６係合体はスナップフィット係合であることを特徴とする請求項２に記載の電子式電力量計。
【請求項４】
前記通信・パルス端子部の後方側の上面に段差部が設けられ、前記中ベースに前記段差部に接触される押圧体が設けられ、前記押圧体に前記通信・パルス端子部の端子金具を支持する支持片が設けられたことを特徴とする請求項２または請求項３に記載の電子式電力量計。
【請求項５】
前記基本ベースの前記前壁部の上面に前記通信・パルス端子部の前端部の下面が接触し、前記前壁部の上面より下方となる段差部が設けられたことを特徴とする請求項２から請求項４のいずれか１項に記載の電子式電力量計。
【請求項６】
前記通信・パルス端子部の段差部に前記中ベースの前記押圧体を接触し、前記押圧体に設けられた前記支持片が前記端子金具に接触されたことを特徴とする請求項４に記載の電子式電力量計。
【請求項７】
前記基本ベースの前記前壁部に前記通信・パルス端子部の第１前面部と接触して嵌合される部分に突起体が設けられ、前記通信・パルス端子部の前記第１前面部に前記突起体に接触して嵌合する係合凹部を有する係合体が設けられ、前記係合体に連設され前記基本ベースの前記第２側壁部の内面と接触して嵌合される接触体が設けられたことを特徴とする請求項２から請求項６のいずれか１項に記載の電子式電力量計。
【請求項８】
前記中ベースに前記基本ベースの前記兼用スペースおよび前記前壁部を閉塞する閉塞体が設けられ、前記前壁部に設けられている外部電線挿入口を閉塞する閉塞片が設けられたことを特徴とする請求項１に記載の電子式電力量計。
【請求項９】
前記基本ベースの前記前壁部の上面に前記閉塞体の前端部の下面が接触し、前記前壁部の上面より下方となる段差部が設けられ、前記閉塞体の前記閉塞片が前記外部電線挿入口の端面に接触して前記外部電線挿入口を閉塞し、前記閉塞片の係合片が前記外部電線挿入口の下方側に係合されたことを特徴とする請求項８に記載の電子式電力量計。
【請求項１０】
前記基本ベースの前記前壁部に前記中ベースの前記閉塞体の前端部と接触して嵌合される部分に突起体が設けられ、前記中ベースの前記閉塞体の前記電源端子部の前記電源端子側壁部に接触して嵌合する第１閉塞側片が設けられ、前記閉塞体に前記突起体に接触して嵌合する第２閉塞側片が設けられ、前記第２閉塞側片に連設され前記基本ベースの前記第２側壁部の内面と接触して嵌合される第３閉塞側片が設けられたことを特徴とする請求項８または請求項９に記載の電子式電力量計。
【手続補正２】
【補正対象書類名】明細書
【補正対象項目名】０００８
【補正方法】変更
【補正の内容】
【０００８】
また、電子式電力量計の高圧計器用においては、通信・パルス端子部は構成部品３点（モジュラージャック及びスイッチを有する基板と、イヤホジャック及びスイッチを有する基板と、ジャックスペーサ）を同時に一方向から基板収納スペースに挿入する必要があり、それぞれの基板を単体で挿入できない構造であるため、組立性の自由度が低いという問題点があった。
【手続補正３】
【補正対象書類名】明細書
【補正対象項目名】００１０
【補正方法】変更
【補正の内容】
【００１０】
この発明に係わる電子式電力量計は、前壁部、後壁部、第１側壁部、第２側壁部により凹形状に形成された基本ベースと、前記基本ベースの前記前壁部側で前記第１側壁部から中央部にかけて配置され、前記基本ベースと一体的に成形された電源端子部と、前記電源端子部の電源端子側壁部と前記前壁部と前記第２側壁部との間に位置する兼用スペースと、前記基本ベースに装着される中ベースとを備え、前記基本ベースの前記前壁部の内面に第１係合体が設けられ、前記兼用スペースに位置する前記基本ベースの前記第２側壁部の内面に第２係合体が設けられ、前記電源端子部の前記電源端子側壁部に第３係合体が設けられ、前記中ベースに前記電源端子部を押える電源端子押え部が設けられたものである。
【手続補正４】
【補正対象書類名】明細書
【補正対象項目名】００７０
【補正方法】変更
【補正の内容】
【００７０】
１００  基本ベース、１０１  前壁部、１０１ａ  上面、１０１ｂ  段差部、１０２  後壁部、１０３  第１側壁部、１０４  第２側壁部、１０６  第１係合体、１０７  第２係合体、１０８  第３係合体、１１０  電源端子部、１１１  電源端子側壁部、１２０  兼用スペース、１３０  突起体、１５１  第１外部電線挿入口、１５２  第２外部電線挿入口、１５３  第３外部電線挿入口、２００  中ベース、２０１  電源端子押え部、２１０  押圧体、２１１  第１支持片、２１２  第２支持片、２１３  第３支持片、２１４  押圧片、３００  計器カバー、４００  端子カバー、５００  通信・パルス端子部、５０１  設定／記憶スイッチ、５０２  数字送りスイッチ、５０３  ＤＭ復帰スイッチ、５０４  イヤホンジャック、５０５  モジュラージャック、５１０ａ  第１時限パルス端子、５１０ｂ  第２時限パルス端子、５１１ａ  第１サービスパルス端子、５１１ｂ  第２サービスパルス端子、５１２ａ  第１通信端子、５１２ｂ  第２通信端子、５１５  前端部、５２０  第１前面部、５２１  第２前面部、５２２  第１側面部、５２３  第２側面部、５３０  段差部、５４０  第４係合体、５４１  第５係合体、５４２  第６係合体、５５０  第１端子金具、５５２  端子ネジ孔、５５４  第１通信端子ネジ、５７０  第２端子金具、５７２  端子ネジ孔、５７４  第２通信端子ネジ、５９０  係合体、５９１  係合凹部、５９２  第１接触体、５９３  第２接触体、６００  中ベース、６０２  電源端子押え部、６１０  閉塞体、６１０ａ  前端部、６１１  第１閉塞片、６１１ａ  第１係合片、６１２  第２閉塞片、６１２ａ  第２係合片、６１３  第３閉塞片、６１３ａ  第３係合片、６１４  第１閉塞片、６１５  第２閉塞片、６１６  第３閉塞片。